(57)【要約】【課題】液晶表示装置の電源オフ動作のための電力を充電する充電手段の容量を低減する。【解決手段】液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する。【選択図】図８
2015075609.tif 000002
【特許請求の範囲】
【請求項１】
書込対象のゲートバスラインを周期的に切り替えるとともに、書込対象として選択されているゲートバスラインに接続された各絵素に接続されているソースバスラインに対する印加電圧を画像データに応じて制御することで上記各絵素に画像データに応じた電圧を印加する書込処理を行う制御部を備えた液晶表示装置であって、
上記制御部は、当該液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する電源オフ処理を行うことを特徴とする液晶表示装置。
【請求項２】
当該液晶表示装置の電源電圧の低下を検知する電圧降下検知部を備え、
上記制御部は、上記電圧降下検知部によって電源電圧が所定値以下に低下したことが検知された場合に上記電源オフ処理を行うことを特徴とする請求項１に記載の液晶表示装置。
【請求項３】
上記各ゲートバスラインの延伸方向の一端側に配置され、上記制御部からの指示に応じて上記各ゲートバスラインに対する印加電圧を切り替える第１ゲートドライバと、
上記各ゲートバスラインの延伸方向の他端側に配置され、上記制御部からの指示に応じて上記各ゲートバスラインに対する印加電圧を切り替える第２ゲートドライバとを備え、
上記制御部は、当該液晶表示装置の電源をオフする際、上記第１ゲートドライバおよび上記第２ゲートドライバの両方について、書込対象のゲートバスラインの選択順序を、電力供給源からの電力供給経路の抵抗値が大きいゲートバスラインから順に選択される順序になるように設定することを特徴とする請求項１または２に記載の液晶表示装置。
【請求項４】
上記ゲートバスライン、上記ソースバスライン、および上記各絵素が形成された液晶パネルと、
上記制御部からの指示に応じて上記各ゲートバスラインに対する印加電圧を切り替えるゲートドライバとを備え、
上記ゲートドライバは、１または複数のゲートバスラインに対する印加電圧の切り替えを行う処理ブロックを複数備え、
上記電力供給経路は、上記処理ブロック同士を接続するブロック間配線部を含み、
上記ブロック間配線部の少なくとも一部は、上記液晶パネル内に設けられたパネル内配線であることを特徴とする請求項１から３のいずれか１項に記載の液晶表示装置。
【請求項５】
上記各絵素は、絵素電極と、対向電極と、絵素電極と対向電極との間に配置された液晶層と、ゲート端子がゲートバスラインに接続され、ソース端子がソースバスラインに接続され、ドレイン端子が上記絵素電極に接続されたスイッチング素子とを備え、
上記スイッチング素子は、酸化物半導体からなるチャネル層を備えた薄膜トランジスタであることを特徴とする請求項１から４のいずれか１項に記載の液晶表示装置。
【請求項６】
書込対象のゲートバスラインを周期的に切り替えるとともに、書込対象として選択されているゲートバスラインに接続された各絵素に接続されているソースバスラインに対する印加電圧を画像データに応じて制御することで上記各絵素に画像データに応じた電圧を印加する書込処理を行う液晶表示装置の制御方法であって、
当該液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する電源オフ処理を行うことを特徴とする液晶表示装置の制御方法。
【発明の詳細な説明】
【技術分野】
【０００１】
本発明は、液晶表示装置において電源オフ時に画素に電圧が印加され続けることを抑制するための技術に関するものである。
【背景技術】
【０００２】
従来、液晶表示装置において、画素に対して同一極性の電界を印加し続けると、液晶分子の分極が生じ、画素特性の変化や画像の焼きつき等の不具合が生じることが知られている。また、画像を表示させたまま液晶表示装置の電源をオフにした場合、各画素には電源がオフされる直前の印加電圧が印加されたままになり、同じ画像を描画させ続けることになるので、この場合にも焼付き現象が生じることが知られている。
【０００３】
このため、従来の液晶表示装置では、電源をオフにする際、液晶表示パネルの各画素に印加された電荷を放出させるための所定の電源オフ動作を実行するようになっている。
【０００４】
例えば、特許文献１には、電源回路に電解コンデンサを備えておき、液晶表示装置の電源がオフされたときに、この電解コンデンサに蓄えられた電荷を用いて液晶表示パネルの全画面に所定の固定パターンを描画する処理を行う技術が記載されている。
【先行技術文献】
【特許文献】
【０００５】
【特許文献１】特開２０００−１３１６７１号公報（２０００年５月１２日公開）
【発明の概要】
【発明が解決しようとする課題】
【０００６】
しかしながら、上記特許文献１の技術では、電源オフ動作時に全ての画素に固定パターンの描画処理を行うための十分な電力を充電しておくために、大容量の電解コンデンサを備える必要があるため、製造コストの増大を招いてしまう。
【０００７】
本発明は上記の問題点に鑑みて成されたものであり、その目的は、液晶表示装置の電源オフ動作のための電力を充電する充電手段の容量を低減することにある。
【課題を解決するための手段】
【０００８】
本発明の一態様にかかる液晶表示装置は、書込対象のゲートバスラインを周期的に切り替えるとともに、書込対象として選択されているゲートバスラインに接続された各絵素に接続されているソースバスラインに対する印加電圧を画像データに応じて制御することで上記各絵素に画像データに応じた電圧を印加する書込処理を行う制御部を備えた液晶表示装置であって、上記制御部は、当該液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する電源オフ処理を行うことを特徴としている。
【発明の効果】
【０００９】
上記の構成によれば、電源オフ動作開始時の充電手段の充電電圧が比較的高いときには電力供給経路の抵抗値が大きいゲートバスライン（電圧降下量が多いゲートバスライン）に対する書き込みを行い、電源オフ動作開始から時間が経過して充電手段の充電電圧が比較的低下してきたときに電力供給経路の抵抗値が小さいゲートバスライン（電圧降下量が比較的少ないゲートバスライン）に対する書き込みを行うことができる。これにより、充電手段に充電された電力を効率的に利用することができるので、電源オフ処理を行う際の消費電力を低減することができ、充電手段の容量を低減してコストダウンを図ることができる。
【図面の簡単な説明】
【００１０】
【図１】本発明の実施形態１にかかる液晶表示装置の構成を示す説明図である。
【図２】図１に示した液晶表示装置に備えられる電圧降下検知回路の構成を示す説明図である。
【図３】図１に示した液晶表示装置に備えられる液晶パネルの構成を示す説明図である。
【図４】図３に示した液晶パネルに備えられるＴＦＴ基板の構成を示す説明図である。
【図５】図３に示した液晶パネルに備えられ絵素の構成を示す説明図である。
【図６】図５に示した絵素の等価回路図である。
【図７】図１に示した液晶表示装置に備えられるゲートドライバの入出力信号を示す説明図である。
【図８】図１に示した液晶表示装置に備えられるゲートドライバの構成および当該ゲートドライバへの電源供給経路を示す説明図である。
【図９】図５に示した絵素に備えられるＴＦＴ、および比較例にかかるＴＦＴの特性を示すグラフである。
【図１０】図１に示した液晶表示装置における書込対象のゲートバスラインの選択順序の切り替えを行うための回路構成を概略的に示した説明図であり、（ａ）は通常時の制御信号の流れ、（ｂ）は電源オフ処理時の制御信号の流れを示している。
【図１１】図１に示した液晶表示装置におけるゲートドライバ３の入力信号の波形を示す説明図であり、（ａ）は通常時の信号波形、（ｂ）は電源オフ処理時の信号波形を示している。
【図１２】本発明の一実施形態２にかかる液晶表示装置の構成を示す説明図である。
【図１３】図１２に示した液晶表示装置に備えられるゲートドライバの構成および当該ゲートドライバへの電源供給経路を示す説明図である。
【図１４】本発明の一実施形態３にかかる液晶表示装置の構成を示す説明図である。
【発明を実施するための形態】
【００１１】
〔実施形態１〕
本発明の一実施形態について説明する。
【００１２】
（１−１．液晶表示装置１００の構成）
図１は、本実施形態にかかる液晶表示装置１００の概略構成を示す説明図である。この図に示すように、液晶表示装置１００は、電源回路１、制御回路（制御部）２、ゲートドライバ３、ソースドライバ４、および液晶パネル５を備えている。
【００１３】
電源回路１は、当該電源回路１の外部（例えば商用電源、自家発電電源、充電装置など）から供給される電力を受け取るとともに、液晶表示装置１００の各ブロック（各部）に対して電力を供給するものであり、電圧降下検知回路１１、主電源回路１２、および補助電源回路１３を備えている。
【００１４】
電圧降下検知回路（電圧降下検知部）１１は、外部からの入力電圧を監視することにより、液晶表示装置１００の電源オフ（ユーザの操作による電源オフ、停電・断線等による電源オフなど）を検知し、検知結果に応じた制御信号を主電源回路１２、補助電源回路１３、および制御回路２に出力する。
【００１５】
図２は、電圧降下検知回路１１の構成例を示す説明図である。この図に示すように、電圧降下検知回路１１は、検知用ＩＣ１１ａ、および抵抗Ｒ１〜Ｒ３を備えている。
【００１６】
抵抗Ｒ１の一端側は入力電源に接続されており、他端側は検知用ＩＣ１１ａの入力側および抵抗Ｒ２の一端側に接続されている。また、抵抗Ｒ２の他端側は接地されている。なお、本実施形態では通常時における入力電源の電圧は１２Ｖに設定されている。
【００１７】
抵抗Ｒ３の一端側はプルアップ用電源回路（本実施形態では５Ｖ）に接続されており、他端側は検知用ＩＣ１１ａの出力側に接続されている。なお、プルアップ用電源回路は主電源回路１２に備えられており、入力電源電圧をプルアップ用電源用の電圧（本実施形態では５Ｖ）に変換して電圧降下検知回路１１に出力する。
【００１８】
これにより、検知用ＩＣ１１ａへの入力電圧が所定の閾値以上である場合、検知用ＩＣ１１ａの出力（制御用信号）はプルアップ抵抗によりハイレベル（５Ｖ）になる。また、検知用ＩＣ１１ａへの入力電圧が閾値未満に低下すると、検知用ＩＣ１１ａの出力（制御用信号）はローレベル（０Ｖ）になる。
【００１９】
主電源回路１２は、通常表示時（液晶表示装置１００の電源がオンされている期間中）に、外部から供給される電力を液晶表示装置１００の各ブロックに配分する。具体的には、主電源回路１２は、画像データ入力部２１、画像処理部２２、同期処理部２３、ゲート制御信号生成部２４、およびソース制御信号生成部２５にロジック電圧Ｖｌｏｇｉｃを供給し、ゲートドライバ３にロジック電圧ＶＬ、アナログのハイレベル電圧ＶＧＨ、ローレベル電圧ＶＧＬを供給し、液晶パネル５の対向基準電位ＶＣＯＭ、およびＣＳ基準電位（液晶補助容量の基準電位）ＶＣＳを供給し、ソースドライバ４にロジック電圧ＶＣＣ／ＬＲＶＤＤ、アナログ電圧ＶＬＳ、階調基準電圧ＶＬ０〜ＶＬ１０２３，およびＶＨ０〜ＶＨ１０２３を供給し、電圧降下検知回路１１に上述したプルアップ電源電圧を供給する。
【００２０】
補助電源回路１３は、例えば電解コンデンサ等の充電手段（図示せず）を備えており、外部から供給される電力により上記充電手段を充電するとともに、液晶表示装置１００の電源オフ時に上記充電手段に充電されている電力を液晶表示装置１００における電源オフ処理を行う各ブロックに供給する。上記電源オフ処理は、液晶表示装置１００の電源オフ時に液晶パネル５の各絵素に蓄積された電荷を放出させるための処理である。電源オフ処理の詳細については後述する。
【００２１】
なお、補助電源回路１３に備えられる上記充電手段を充電するための電力は、外部から補助電源回路１３に直接入力されてもよく、主電源回路１２から入力されてもよい。
【００２２】
制御回路２は、当該制御回路２の外部から入力される入力信号に応じた画像を液晶パネル５に表示させるための制御信号を生成し、ゲートドライバ３およびソースドライバ４に出力するものであり、画像データ入力部２１、画像処理部２２、同期処理部２３、ゲート制御信号生成部２４、およびソース制御信号生成部２５を備えている。なお、画像データ入力部２１、画像処理部２２、同期処理部２３、ゲート制御信号生成部２４、およびソース制御信号生成部２５は、１つのチップで構成されるものであってもよく、複数のチップから構成されるものであってもよい。
【００２３】
画像データ入力部２１は、制御回路２の外部から入力される入力信号を受け付け、入力信号に含まれる画像信号を画像処理部２２に出力し、入力信号に含まれる同期信号を同期処理部２３に出力する。
【００２４】
画像処理部２２は、画像データ入力部２１から入力された画像信号をソースドライバ４の入力フォーマットに応じた信号に変換してソースドライバ４に出力する。
【００２５】
同期処理部２３は、画像データ入力部２１から入力された同期信号に基づいて各絵素の水平方向の位置情報と垂直方向の位置情報とを生成し、垂直方向の位置情報をゲート制御信号生成部２４に出力し、水平方向の位置情報をソース制御信号生成部２５に出力する。
【００２６】
ゲート制御信号生成部２４は、同期処理部２３から入力される垂直方向の位置情報に基づいて、ゲートドライバ３を制御するための制御信号（ゲートスタートパルスＧＳＰ１，ＧＳＰ２、ゲート切替信号ＧＬＢＲ、ゲートクロック信号ＧＣＫ、ゲート出力イネーブルＧＯＥ等）を生成してゲートドライバ３に送る。また、ゲート制御信号生成部２４は、後述する電源オフ処理を行う際には、各ゲートバスラインを電源オフ処理用の所定の順序で選択させるための制御信号を生成してゲートドライバ３に送る。
【００２７】
ソース制御信号生成部２５は、同期処理部２３から入力される水平方向の位置情報に基づいて、ソースドライバ４を制御するための制御信号（ラッチパルス、液晶を交流駆動するための極性反転信号等）を生成してソースドライバ４に出力する。また、ソース制御信号生成部２５は、後述する電源オフ処理を行う際には、各絵素に電源オフ処理用の所定の電圧を印加させるための制御信号を生成してソースドライバ４に送る。
【００２８】
図３は、液晶パネル５の概略構成を示す説明図である。この図に示すように、液晶パネル５は、スペーサ５３を介して対向配置されたＴＦＴ基板５１および対向基板５２と、ＴＦＴ基板５１と対向基板５２との間に封入された液晶材料からなる液晶層５４と、ＴＦＴ基板５１の裏面側（対向基板５２との対向面と反対側の面側）に配置された第１偏光板５５と、対向基板５２の表面側（ＴＦＴ基板５１との対向面と反対側の面側）に配置された第２偏光板５６とを備えている。また、液晶パネル５の裏面側には、バックライト５７が配置されている。
【００２９】
第１偏光板５５は、バックライト５７から照射された光のうち、当該第１偏光板５５の偏光軸方向に応じた光のみを透過させる。また、各絵素の液晶層５４には画像データに応じた電圧が印加されるようになっており、これによって各絵素における液晶の複屈折が画像データに応じて変化し、各絵素を通過する光の偏光方向は画像データに応じて変化する。また、第２偏光板５６は、液晶層５４を通過した光のうち、当該第２偏光板５６の偏光軸方向に応じた光のみを透過させる。これにより、液晶パネル５を透過する光の光量を画像データに応じて絵素毎に制御することで画像表示を行うようになっている。
【００３０】
また、対向基板５２における各絵素（サブピクセル）に対応する領域には、Ｒ（赤），Ｇ（緑），Ｂ（青）のいずれかのカラーフィルタが形成されており、Ｒ，Ｇ，Ｂの３つの絵素の組み合わせによって１つの画素（ピクセル）が形成されている。これにより、各画素のＲ，Ｇ，Ｂの透過光量が画像データに応じて画素毎に制御され、画像データに応じた画像が表示される。なお、本実施形態では、Ｒ，Ｇ，Ｂの絵素を備えているものとしているが、これに限るものではなく、他の色の絵素を備えていてもよい。
【００３１】
なお、本実施形態では、液晶表示装置１００がバックライトから出射される光を用いて表示を行う透過型の液晶表示装置１００である場合について説明するが、これに限らず、例えば、外部からの入射光を反射させて表示光として用いる反射型の液晶表示装置であってもよく、透過型の液晶表示装置の機能と反射型の液晶表示装置の機能とを併せ持った半透過型の液晶表示装置であってもよい。
【００３２】
また、本実施形態では、絵素電極がＴＦＴ基板５１に備えられ、対向電極が対向基板５２に備えられた液晶表示装置について説明するが、これに限らず、絵素電極および対向電極の両方が同一基板に備えられた構成であってもよい。
【００３３】
図４はＴＦＴ基板５１の概略構成を示す説明図である。この図に示すように、ＴＦＴ基板５１上には、多数のゲートバスライン３１と、各ゲートバスライン３１と格子状に交差するように配置された多数のソースバスライン４１と、ゲートバスライン３１とソースバスライン４１との交差部毎に設けられた絵素５０と、ゲートバスライン３１に略平行に配置されたＣＳ配線３４とを備えている。
【００３４】
図５は液晶パネル５に備えられる絵素５０の絵素構造を示す説明図である。
【００３５】
各絵素５０は、図５に示すように、スイッチング素子としてのＴＦＴ（Thin Film Transistor、薄膜トランジスタ）６１と、絵素電極６２と、対向電極６３を備えている。ＴＦＴ６１のゲート端子はゲートバスライン３１に接続されており、ソース端子はソースバスライン４１に接続されており、ドレイン端子は絵素電極６２に接続されている。また、ＣＳ配線３４は絶縁膜（図示せず）を介して絵素電極６２に対向する位置に配置されている。なお、本実施形態では、ＴＦＴ６１として、インジウムガリウム亜鉛酸化物半導体（酸化物半導体）からなるチャネル層を有するＴＦＴを用いている。
【００３６】
また、各ゲートバスライン３１はゲートドライバ３に接続されており、各ソースバスライン４１はソースドライバ４に接続されている。また、対向電極６３は対向基板５２上に配置された対向配線（図示せず）を介して基準電位（対向電位）に接続されている。また、ＣＳ配線３４は図示しないＣＳ電位供給源に接続されている。
【００３７】
これにより、ゲートドライバ３が書込対象のゲートバスライン３１を周期的に切り替え、ソースドライバ４がゲートドライバ３と同期して、書込対象として選択されているゲートバスラインに接続されている各絵素に接続されているソースバスラインに対する印加電圧を画像データに応じて制御することで、各絵素５０の液晶層５４に画像データに応じた電圧を印加して液晶分子の配向方向を制御し、表示を行う。
【００３８】
図６は、絵素５０の等価回路図である。ＴＦＴ６１のゲート端子の電圧が当該ＴＦＴ６１のソース端子の電圧よりも所定値以上高くなるとＴＦＴ６１がＯＮになり、ソース端子とドレイン端子との間を電流が流れ、ソースバスライン４１の電位が液晶容量（液晶層５４）に印加される。等価回路図では、絵素電極６２、液晶層５４、および対向電極６３はコンデンサ（液晶容量）として表される。また、絵素電極６２、絶縁層（図示せず）、およびＣＳ配線３４により、液晶容量（絵素電極６２、液晶層５４、および対向電極６３）に対して並列に配置された、各絵素の電位を維持するための液晶補助容量（ＣＳ容量）６４が形成されている。なお、液晶補助容量６４は必須の構成ではなく、省略してもよい。
【００３９】
ゲートドライバ３は、ゲート制御信号生成部２４から入力される制御信号に基づいて液晶パネル５に備えられる各ゲートバスライン３１に印加する電圧を制御することにより、書込対象のゲートバスライン３１を周期的に切り替える。
【００４０】
図７は、ゲートドライバ３の入出力信号を示す説明図である。この図に示すように、ゲートドライバ３には、ゲートバスライン３１に印加するハイレベル電圧ＶＧＨ、ゲートバスライン３１に印加するローレベル電圧ＶＧＬ、ロジック電圧ＶＬ、ロジックのグランド電位（基準電位）ＧＮＤが入力される。なお、これら各信号は電源回路１（あるいは液晶表示装置１００の他の電源回路）から供給される。また、ゲートドライバ３には、ゲート制御信号生成部２４からゲートスタートパルスＧＳＰ１，ＧＳＰ２、ゲート切替信号ＧＬＢＲ、ゲートクロック信号ＧＣＫ，およびゲートイネーブル信号ＧＯＥが入力される。Ｇ１，Ｇ２，・・・，Ｇ２１６０は、液晶パネル５のゲートバスライン３１の１番目，２番目，・・・２１６０番目のゲートバスライン３１にそれぞれ接続されている。ゲート切替信号ＧＬＢＲは、書込処理を行うゲートバスラインの選択順序をＧ１→Ｇ２１６０の順（順方向）にするか、Ｇ２１６０→Ｇ１の順（逆方向）にするかを規定する信号である。
【００４１】
図８は、ゲートドライバ３の構成、およびゲートドライバ３への電源供給経路を示す説明図である。
【００４２】
図８に示すように、ゲートドライバ３は、処理ブロック３５ａ〜３５ｈを備えており、これら各処理ブロック３５ａ〜３５ｈは液晶パネル５内に形成されたパネル内配線（ブロック間配線部）３７ａ〜３７ｇによって互いに直列に接続されている。また、ソースドライバ４側の端部に配置された処理ブロック３５ａは、液晶パネル５およびソースドライバ４の一部を通る配線３６を介して電源回路１に接続されている。これにより、電源回路１からゲートドライバ３への供給電力は、配線３６を介して処理ブロック３５ａに入力され、パネル内配線３７ａ〜３７ｇを介して処理ブロック３５ｂ，３５ｃ，・・・，３５ｈへと順次伝達される。
【００４３】
処理ブロック３５ａ〜３５ｈには、それぞれ２７０本ずつのゲートバスライン３１が割り当てられており、各処理ブロック３５ａ〜３５ｈはゲート制御信号生成部２４から入力される制御信号に基づいて当該処理ブロックに割り当てられたゲートバスライン３１に対する出力電位をハイレベルとローレベルとに切り替える。なお、ゲートドライバ３に備えられる処理ブロックの数、および各処理ブロックに割り当てられるゲートバスラインの数は特に限定されるものではなく、適宜変更してもよい。
【００４４】
なお、詳細は後述するが、本実施形態では、通常の画像表示時にはゲートドライバ３に対する電力入力部（本実施形態ではゲートドライバ３に対する配線３６の接続部）から近いゲートバスライン（電力供給経路における抵抗値（電圧降下）が小さいゲートバスライン）から順に書込対象のゲートバスラインを選択し、電源オフ処理を行う時には電力入力部から遠いゲートバスライン（電力供給経路における抵抗値（電圧降下）が大きいゲートバスライン）から順に書込対象のゲートバスラインを選択するようになっている。
【００４５】
ソースドライバ４は、ソース制御信号生成部２５から入力される制御信号に基づいて、ゲートドライバ３による書込対象のゲートバスライン３１の切替周期に同期したタイミングで各ソースバスライン４１に印加する電圧を制御する。
【００４６】
具体的には、画像処理部２２から入力される信号とソース制御信号生成部２５から入力される極性反転信号とに応じて各ソースバスライン４１に印加するための電位（各ソースバスライン４１に接続された絵素のうち書込処理対象のゲートバスライン３１に接続されている絵素に印加するための電位）を生成し、生成した電位をソース制御信号生成部２５から入力されるラッチパルスＬＳに応じたタイミングで各ソースバスライン４１に印加する。
【００４７】
なお、ソースドライバ４は、液晶表示装置１００の電源をオフする際には、電源オフ処理用の所定の電位（例えば各絵素に黒を表示させるための電位）を各ソースバスライン４１に出力する。
【００４８】
（１−２．ＴＦＴ６１の特性）
図９は、インジウムガリウム亜鉛酸化物半導体（酸化物半導体）からなるＴＦＴ（実施例）、低温ポリシリコン（ＬＴＰＳ）からなるＴＦＴ（比較例１）、およびアモルファスシリコン（ａ−Ｓｉ）からなるＴＦＴ（比較例２）の特性を比較したグラフである。図９の横軸はＴＦＴのゲート−ソース間の電位差（Ｖｇ−Ｖｓ）、縦軸はソース−ドレイン間を流れる電流を示している。
【００４９】
図９に示したように、インジウムガリウム亜鉛酸化物半導体からなるＴＦＴは、オフリーク電流（ＴＦＴがオフのときにソース−ドレイン間を流れる電流）がアモルファスシリコン（ａ−Ｓｉ）からなるＴＦＴの１／１０００以下、低温ポリシリコン（ＬＰＴＳ）からなるＴＦＴの１／１００００以下であるという特性を有している。
【００５０】
インジウムガリウム亜鉛酸化物半導体からなるＴＦＴが有する上記のオフリーク電流が少ないという特性は、駆動時の特性の向上（低消費電力の低減等）をもたらすが、その一方で、液晶表示装置の電源がオフされた時に絵素電極にチャージされた電荷が抜けにくいという問題がある。絵素電極に電荷が残っていると、絵素電極と対向電極との間の電位差によって液晶層に一定方向の電界がかかり、有極性分子からなる液晶分子に分極が生じて特性ずれや画像の焼き付き等の不具合が生じる場合がある。
【００５１】
このため、本実施形態にかかる液晶表示装置１００では、電源オフ時に絵素電極にチャージされている電荷を抜くための所定の電源オフ処理を行うようになっている。
【００５２】
（１−３．電源オフ処理）
次に、液晶表示装置１００の電源オフ時に液晶パネル５に対して行う電源オフ処理について説明する。
【００５３】
上述したように、電源オフ期間に各絵素に電圧が印加された状態が長時間継続されると、焼き付き等の不具合が生じる場合がある。
【００５４】
そこで、本実施形態では、電圧降下検知回路１１により電源回路１に対する入力電圧を監視することによって液晶表示装置１００の電源オフを検知し、液晶表示装置１００の電源オフを検知した場合に、各絵素に対して電源オフ処理用の所定の電位を書き込む電源オフ処理を行う。なお、液晶表示装置１００の電源ボタンが操作された時や、リモコンを介して電源オフ指示が入力されたときなどに電源オフ処理を開始するようにしてもよい。
【００５５】
図１０は書込対象のゲートバスラインの選択順序（描画順序）の切り替えを行うための回路構成を概略的に示した説明図であり、（ａ）は通常時（電源オン期間中）の制御信号の流れ、（ｂ）は電源オフ処理時の制御信号の流れを示している。また、図１１はゲートドライバ３の入力信号の波形を示す説明図であり、（ａ）は通常時（電源オン期間中）の信号波形、（ｂ）は電源オフ処理時の信号波形を示している。
【００５６】
なお、図１１に示したＧ１〜Ｇ２１６０は各ゲートバスライン３１に対してソースバスライン４１側（配線３６との接続部側）からの配置位置に応じた順で付した符号であり、Ｇ１はゲートドライバ３に対する電力入力部から最も近いゲートバスライン３１を示しており、Ｇ２１６０はゲートドライバ３に対する電力入力部から最も遠いゲートバスライン３１を示している。
【００５７】
図１０に示すように、ゲート制御信号生成部２４におけるゲートスタートパルスＧＳＰ１の出力端子は抵抗（保護用抵抗）Ｒ４を介してゲートドライバ３の処理ブロック３５ａに接続されている。また、ゲート制御信号生成部２４におけるゲートスタートパルスＧＳＰ２の出力端子は、ゲートドライバ３の処理ブロック３５ｈに接続されるとともに、抵抗Ｒ５を介してプルアップ用電源に接続されている。すなわち、ゲートスタートパルスＧＳＰ１はハイインピーダンス（ＨｉＺ）に設定され、ゲートスタートパルスＧＳＰ２はＷｅａｋＰｕｌｌＵｐに設定されている。また、ゲート制御信号生成部２４におけるゲート切替信号ＧＬＢＲの出力端子は、ゲートドライバ３の各処理ブロック３５ａ〜３５ｈに接続されている。
【００５８】
なお、ゲートバスラインの選択順序の切り替えを行うための回路構成は、図１０に示した回路構成例に限るものではない。
【００５９】
例えば、ゲートスタートパルスＧＳＰ２はＷｅａｋＰｕｌｌＵｐに設定せず、終了処理時にゲートスタートパルスＧＳＰ２を制御してハイレベルの信号を出力するようにしても図１０の回路構成例の場合と略同様の動作を実現できる。
【００６０】
また、終了処理時に、ゲートスタートパルスＧＳＰ１をハイインピーダンス（ＨｉＺ）に設定する構成に限らず、例えば、オープン設定にしてもよく、パルス信号出力に設定してもよい。なお、終了処理時にゲートスタートパルスＧＳＰ１を通常時と同様にパルス信号出力のままに設定し、終了処理時にゲートバスラインの選択順序を通常時と逆順に切り替えると、ゲートスタートパルスＧＳＰ１と処理ブロック３５ａからの出力が衝突してしまうが、本実施形態ではゲート制御信号生成部２４におけるゲートスタートパルスＧＳＰ１の出力端子と処理ブロック３５ａとの間に保護抵抗Ｒ４を設けているので、上記の衝突によって不具合が生じることを防止できる。
【００６１】
通常時には、図１０の（ａ）および図１１の（ａ）に示すように、ゲート制御信号生成部２４はローレベルのゲート切替信号ＧＬＢＲを各処理ブロック３５ａ〜３５ｈに出力する。これにより、ゲートスタートパルスＧＳＰ１が処理ブロック３５ａから処理ブロック３５ｈに向かう順で各処理ブロックに伝達され、各処理ブロックに対応するゲートバスラインがこの順で順次選択される。すなわち、各ゲートバスライン３１はＧ１からＧ２１６０に向かう順で順次選択される。
【００６２】
これにより、ゲートスタートパルスＧＳＰ１がハイレベルになった後、ゲートクロック信号ＧＣＫがハイレベルからローレベルに切り替わるタイミングで選択対象のゲートバスライン３１の電位がハイレベルに切り替えられ、その後、ゲートクロック信号ＧＣＫがローレベルからハイレベルに切り替わったときに当該ゲートバスライン３１の電位がローレベルに切り替えられる。すなわち、ゲートクロック信号ＧＣＫの立ち下り（ハイレベルからローレベルへの切り替わり）から次の立ち上り（ローレベルからハイレベルへの切り替わり）までの間、１本のゲートバスライン３１にハイレベルの電圧が印加される。
【００６３】
その後、ゲートクロック信号ＧＣＫが再びハイレベルからローレベルに切り替わると、次のゲートバスライン３１の電位がハイレベルに切り替えられ、その後、ゲートクロック信号ＧＣＫがローレベルからハイレベルに切り替わったときに当該ゲートバスライン３１の電位がローレベルに切り替えられる。この処理が全ゲートバスライン３１の選択が完了するまで繰り返される。 
【００６４】
なお、ゲートクロック信号ＧＣＫがハイレベルである期間中は、いずれのゲートバスライン３１も選択されない（いずれのゲートバスライン３１にもハイレベルの電圧が印加されない）期間である非書込期間となる。これにより、ゲートバスライン３１における印加電圧の伝達の遅延により適切な画像表示ができなくなることを防止できる。すなわち、ゲートバスライン３１の長さが長い場合には、ゲートバスライン３１における印加電圧の伝達の遅延によりゲートドライバ３に近い部分と遠い部分とで絵素のＴＦＴ６１がオンするタイミングのずれが生じ、その結果、ＴＦＴ６１のオンタイミングとソースドライバ４による各ソースバスライン４１に対する印加電圧の切替タイミングとのずれが生じて適切な画像表示ができなくなる場合がある。
【００６５】
これに対して、上記の構成によれば、ハイレベルを印加するゲートバスライン３１の切り替え毎にいずれのゲートバスライン３１にもハイレベルが印加されない非書込期間を設けることにより、ゲートバスライン３１の駆動タイミングとソースバスライン４１に対する電圧印加タイミングとのずれにより不適切な画像表示が行われることを防止できる。
【００６６】
ゲートイネーブル信号ＧＯＥ（図示せず）は、当該信号がハイレベルである場合にゲートドライバ３からの全出力を停止させる信号（全ゲートバスライン３１をローレベルにする信号）である。本実施形態では、ゲートイネーブル信号ＧＯＥはローレベルで固定している。
【００６７】
また、図１１の（ａ）に示すように、通常表示時におけるゲートクロック信号ＧＣＫの周期（ゲートクロック信号ＧＣＫのローレベルとハイレベルとが切り替わり、書込対象のゲートバスライン３１が切り替わる選択切替周期）については、全てのゲートバスライン３１の選択が１フレーム期間内に完了するように設定している。
【００６８】
一方、電源オフ処理時には、図１０の（ｂ）および図１１の（ｂ）に示すように、ゲート制御信号生成部２４はゲートスタートパルスＧＳＰ１の立ち上りと同時にゲート切替信号ＧＬＢＲをハイレベルに切り替える。これにより、ゲートスタートパルスＧＳＰ２が処理ブロック３５ｈから処理ブロック３５ａに向かう順で各処理ブロックに伝達され、各処理ブロックに対応するゲートバスラインがそれに応じた順で書込対象のゲートバスライン３１を増加させていく。すなわち、各ゲートバスライン３１はＧ２１６０からＧ１に向かう順で書込対象のゲートバスラインに順次加えられていく。
【００６９】
（１−４．実施形態１のまとめ）
以上のように、本実施形態にかかる液晶表示装置１００は、電源オフ処理時に、書込対象のゲートバスライン３１の選択順序を、通常時とは異なる順序になり、かつゲートドライバ３に対する電力供給源からの電力供給経路の抵抗値が大きいゲートバスライン３１から順に選択される順序になるように設定し、各ソースバスライン４１に対して電源オフ処理用の所定の電圧を印加する。
【００７０】
これにより、電源オフ動作開始時の充電手段の充電電圧が比較的高いときには電力供給経路の抵抗値が大きいゲートバスラインに対する書き込みを行い、電源オフ動作開始から時間が経過して充電手段の充電電圧が比較的低下してきたときに電力供給経路の抵抗値が小さいゲートバスラインに対する書き込みを行うことができる。したがって、充電手段に充電された電力を効率的に利用することができるので、電源オフ処理を行う際の消費電力を低減することができ、充電手段の容量を低減してコストダウンを図ることができる。
【００７１】
具体的には、ゲートドライバ３内の各処理ブロック３５ａ〜３５ｈに対する電力供給経路の電位は、ゲートドライバ３に対する電力供給源から遠くなるほど電圧降下により低下する。
【００７２】
特に、本実施形態では各処理ブロック３５ａ〜３５ｈの間がパネル内配線３７ａ〜３７ｇによって接続されているが、パネル内配線は液晶パネル５の内部を通るため、配線が薄く細く形成されており、通常の一般的な回路に設けられる配線よりも抵抗値が高い。このため、パネル内配線が一種の抵抗になり、この抵抗の影響により、ゲートドライバ３に対する電力供給源から離れた処理ブロックほど電力供給経路における電圧降下が生じやすくなっている。
【００７３】
例えば、配線３６の配線抵抗Ｒｔａｂを３４．３Ω、各パネル内配線３７ａ〜３７ｇの配線抵抗Ｒｐをそれぞれ３０．５Ω、配線３６に対する供給電圧Ｖｇｈを３５Ｖ、各ゲートバスライン３１を駆動するのに必要な電流量ｉを１０ｍＡとすると、最終のゲートバスライン３１に対する供給電圧Ｖｇｈｘ、処理ブロックの数ｘを８とすると、
Ｖｇｈｘ＝Ｖｇｈ−Ｒｔａｂ・ｉ−（ｘ−１）・Ｒ・ｉ
＝３５−３４．３×０．０１−７×３０．５×０．０１
＝３２．５２２
となり、電圧降下量ΔＶは最大でΔＶ＝３５−３２．５２２＝２．４７８Ｖとなる。
【００７４】
また、電源オフ時は外部からの電力供給が遮断されて補助電源回路１３に備えられる充電手段から電源供給が行われるので、充電手段の充電電力は、電源オフ処理中には徐々に低下していく。すなわち、電源オフ処理における最終書き込みゲートバスラインの選択時に充電手段からゲートドライバ３に供給される電圧は、電源オフ処理の開始時にゲートドライバ３に供給される電圧よりも低下している。
【００７５】
このため、従来のように電源オフ処理時にも通常時と同様にゲートドライバ３に対する電力供給源から近いゲートバスライン３１から順に選択する構成にすると、充電手段の容量が最も低下しているときに電圧降下が最も大きいゲートバスライン３１を選択することになる。したがって、全てのゲートバスライン３１を適切に選択するために充電手段に充電しておくべき電力量が大きくなる。
【００７６】
これに対して、本実施形態では、電源オフ処理開始直後の充電手段の充電電力が大きいときにゲートドライバ３に対する電力供給源から遠いゲートバスライン３１（電圧降下量が大きいゲートバスライン３１）を選択し、電源オフ処理末期の充電手段の充電電力が低下したときにゲートドライバ３に対する電力供給源から近いゲートバスライン３１（電圧降下量が大きいゲートバスライン３１）を選択する。
【００７７】
これにより、全てのゲートバスライン３１を適切に選択するために充電手段に充電しておくべき電力量の総量を小さくすることができるので、充電手段の容量を低減してコストダウンを図ることができる。
【００７８】
なお、本実施形態では、ゲートドライバ３内の各処理ブロック３５ａ〜３５ｈに対する電力供給経路にパネル内配線３７ａ〜３７ｇが含まれている構成について説明したが、これに限るものではない。
【００７９】
また、本実施形態では、各絵素のスイッチング素子としてインジウムガリウム亜鉛酸化物半導体からなるＴＦＴを用いる構成について説明したが、これに限るものではない。例えば、インジウムガリウム亜鉛酸化物半導体以外の酸化物半導体からなるチャネル層を有するものであってもよく、酸化物半導体以外の材質からなるチャネル層を有するものであってもよい。
【００８０】
〔実施形態２〕
本発明の他の実施形態について説明する。なお、説明の便宜上、上述した実施形態と同様の機能を有する部材については当該実施形態と同じ符号を付し、その説明を省略する。
【００８１】
図１２は、本実施形態にかかる液晶表示装置１００ｂの概略構成を示す説明図である。本実施形態にかかる液晶表示装置１００ｂは、実施形態１の液晶表示装置１００の構成に加えて、液晶パネル５に対してゲートドライバ（第１ゲートドライバ）３が配置されている側とは反対側の位置にゲートドライバ（第２ゲートドライバ）３ｂを備えている。すなわち、各ゲートバスライン３１の延伸方向の一端側にゲートドライバ３が備えられ、他端側にゲートドライバ３ｂが備えられている。
【００８２】
図１３は、ゲートドライバ３および３ｂの構成を示す説明図である。この図に示すように、ゲートドライバ３ｂは、ゲートドライバ３と略同様の構成を備えている。
【００８３】
すなわち、ゲートドライバ３ｂは、ゲートドライバ３と同様、処理ブロック３５ａ〜３５ｈを備えており、これら各処理ブロック３５ａ〜３５ｈは液晶パネル５内に形成されたパネル内配線３７ａ〜３７ｇによって互いに直列に接続されている。また、ソースドライバ４側の端部に配置された処理ブロック３５ａは、液晶パネル５およびソースドライバ４の一部を通る配線３６を介して電源回路１に接続されている。これにより、電源回路１からゲートドライバ３ｂへの供給電力は、配線３６を介して処理ブロック３５ａに入力され、パネル内配線３７ａ〜３７ｇを介して処理ブロック３５ｂ，３５ｃ，・・・，３５ｈへと順次伝達される。
【００８４】
ゲートドライバ３の処理ブロック３５ａ〜３５ｈ、およびゲートドライバ３ｂの処理ブロック３５ａ〜３５ｈには、それぞれ２７０本ずつのゲートバスライン３１が割り当てられており、各ゲートバスライン３１の一端側はゲートドライバ３のいずれかの処理ブロックに接続され、他端側はゲートドライバ３ｂのいずれかの処理ブロックに接続されている。
【００８５】
また、ゲートドライバ３の各処理ブロック３５ａ〜３５ｈは、ゲート制御信号生成部２４から入力される制御信号に基づいて、当該処理ブロックに割り当てられたゲートバスライン３１の一端側に対する出力電位を切り替える。また、ゲートドライバ３ｂの各処理ブロック３５ａ〜３５ｈは、ゲート制御信号生成部２４から入力される制御信号に基づいて、ゲートドライバ３から各ゲートバスライン３１への出力電位の切り替えと同期したタイミングで各ゲートバスライン３１への出力電位を切り替える。したがって、各ゲートバスライン３１には、当該ゲートバスライン３１の両端側から同時に同電位の出力電圧が印加される。
【００８６】
これにより、液晶パネル５のサイズが大きい場合（ゲートバスライン３１の長さが長い場合）であっても、ゲートバスライン３１における印加電圧の伝達の遅延により適切な画像表示ができなくなることを防止できる。すなわち、ゲートバスライン３１における印加電圧の伝達の遅延によりゲートバスライン３１の一端側に近い部分と他端側に近い部分とで絵素のＴＦＴ６１がオンするタイミングのずれが生じることを防止し、ゲートバスライン３１の駆動タイミングとソースバスライン４１に対する電圧印加タイミングとのずれにより不適切な画像表示が行われることを防止できる。
【００８７】
なお、ゲートドライバ３およびゲートドライバ３ｂに備えられる処理ブロックの数、および各処理ブロックに割り当てられるゲートバスラインの数は特に限定されるものではなく、適宜変更してもよい。
【００８８】
また、本実施形態では、図１３に示したように、実施形態１と同様、通常の画像表示時にはゲートドライバ３，３ｂに対する電力入力部（本実施形態ではゲートドライバ３に対する配線３７の接続部）から近いゲートバスライン（電力供給経路における抵抗値（電圧降下）が小さいゲートバスライン）から順に書込対象のゲートバスラインを選択し、電源オフ処理を行う時には電力入力部から遠いゲートバスライン（電力供給経路における抵抗値（電圧降下）が大きいゲートバスライン）から順に書込対象のゲートバスラインを選択する。
【００８９】
これにより、電源オフ処理時に、充電手段に充電された電力を効率的に利用することができるので、電源オフ処理を行う際の消費電力を低減することができ、充電手段の容量を低減してコストダウンを図ることができる。
【００９０】
〔実施形態３〕
本発明のさらに他の実施形態について説明する。なお、説明の便宜上、上述した実施形態と同様の機能を有する部材については当該実施形態と同じ符号を付し、その説明を省略する。
【００９１】
図１４は、本実施形態にかかる液晶表示装置１００ｃの概略構成を示す説明図である。本実施形態にかかる液晶表示装置１００ｃは、実施形態１の液晶表示装置１００における電源回路１に代えて電源回路１ｃを備えている以外は実施形態１の液晶表示装置１００と同様の構成である。
【００９２】
電源回路１ｃは、実施形態１における電源回路１と同様、電圧降下検知回路１１、主電源回路１２、および補助電源回路１３を備えている。ただし、実施形態１では電圧降下検知回路１１が主電源回路１２の前段に備えられ、外部から電源回路１への入力電圧を監視していたのに対し、本実施形態では電圧降下検知回路１１が主電源回路１２の後段に備えられ、主電源回路１２の出力電圧を監視する。
【００９３】
主電源回路１２は、通常表示時（液晶表示装置１００ｃの電源がオンされている期間中）に、外部から供給される電力を液晶表示装置１００ｃの各ブロックに配分する。具体的には、主電源回路１２は、画像データ入力部２１、画像処理部２２、同期処理部２３、ゲート制御信号生成部２４、およびソース制御信号生成部２５にロジック電圧Ｖｌｏｇｉｃを供給し、ゲートドライバ３にロジック電圧ＶＬ、アナログのハイレベル電圧ＶＧＨ、ローレベル電圧ＶＧＬを供給し、液晶パネル５の対向基準電位ＶＣＯＭ、およびＣＳ基準電位（液晶補助容量の基準電位）ＶＣＳを供給し、ソースドライバ４にロジック電圧ＶＣＣ／ＬＲＶＤＤ、アナログ電圧ＶＬＳ、階調基準電圧ＶＬ０〜ＶＬ１０２３，およびＶＨ０〜ＶＨ１０２３を供給する。
【００９４】
電圧降下検知回路（電圧降下検知部）１１は、主電源回路１２から各ブロックへの出力電圧のうちの少なくとも一部の出力電圧を監視することにより、液晶表示装置１００ｃの電源オフ（ユーザの操作による電源オフ、停電・断線等による電源オフなど）を検知する。
【００９５】
補助電源回路１３は、例えばコンデンサ等の充電手段（図示せず）を備えており、外部から供給される電力により上記充電手段を充電するとともに、液晶表示装置１００ｃの電源オフ時に上記充電手段に充電されている電力を液晶表示装置１００ｃにおける電源オフ処理を行う各ブロックに供給する。電源オフ処理の処理内容は実施形態１と同様である。なお、補助電源回路１３に備えられる上記充電手段を充電するための電力は、外部から補助電源回路１３に直接入力されてもよく、主電源回路１２から入力されてもよい。
【００９６】
本実施形態の構成によれば、実施形態１と略同様の効果を得ることができる。
【００９７】
〔実施形態４〕
液晶表示装置１００，１００ｂ，１００ｃの制御ブロック（特に制御回路２、ゲート制御信号生成部２４、ソース制御信号生成部２５、および画像処理部２２）は、集積回路（ＩＣチップ）等に形成された論理回路（ハードウェア）によって実現してもよいし、ＣＰＵ（Central Processing Unit）を用いてソフトウェアによって実現してもよい。
【００９８】
後者の場合、液晶表示装置１００，１００ｂ，１００ｃは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９９】
〔まとめ〕
本発明の態様１にかかる液晶表示装置は、書込対象のゲートバスラインを周期的に切り替えるとともに、書込対象として選択されているゲートバスラインに接続された各絵素に接続されているソースバスラインに対する印加電圧を画像データに応じて制御することで上記各絵素に画像データに応じた電圧を印加する書込処理を行う制御部を備えた液晶表示装置であって、上記制御部は、当該液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する電源オフ処理を行うことを特徴としている。
【０１００】
上記の構成によれば、電源オフ動作時に各絵素に電源オフ処理用の所定の電圧を印加する処理を行う際のゲートバスラインの選択順序を、電源供給源からの電力供給経路の抵抗値が大きいゲートバスラインから順に選択させるように設定する。これにより、電源オフ動作開始時の充電手段の充電電圧が比較的高いときには電力供給経路の抵抗値が大きいゲートバスライン（電圧降下量が多いゲートバスライン）に対する書き込みを行い、電源オフ動作開始から時間が経過して充電手段の充電電圧が比較的低下してきたときに電力供給経路の抵抗値が小さいゲートバスライン（電圧降下量が比較的少ないゲートバスライン）に対する書き込みを行うことができる。したがって、充電手段に充電された電力を効率的に利用することができるので、電源オフ処理を行う際の消費電力を低減することができ、充電手段の容量を低減してコストダウンを図ることができる。
【０１０１】
本発明の態様２にかかる液晶表示装置は、態様１において、当該液晶表示装置の電源電圧の低下を検知する電圧降下検知部を備え、上記制御部は、上記電圧降下検知部によって電源電圧が所定値以下に低下したことが検知された場合に上記電源オフ処理を行う構成である。
【０１０２】
上記の構成によれば、液晶表示装置の電源がオフされることを電圧検出部によって検出し、電源オフ処理を自動的に行わせることができる。
【０１０３】
本発明の態様３にかかる液晶表示装置は、態様１または２において、上記各ゲートバスラインの延伸方向の一端側に配置され、上記制御部からの指示に応じて上記各ゲートバスラインに対する印加電圧を切り替える第１ゲートドライバと、上記各ゲートバスラインの延伸方向の他端側に配置され、上記制御部からの指示に応じて上記各ゲートバスラインに対する印加電圧を切り替える第２ゲートドライバとを備え、上記制御部は、当該液晶表示装置の電源をオフする際、上記第１ゲートドライバおよび上記第２ゲートドライバの両方について、書込対象のゲートバスラインの選択順序を、電力供給源からの電力供給経路の抵抗値が大きいゲートバスラインから順に選択される順序になるように設定する構成である。
【０１０４】
上記の構成によれば、複数のゲートドライバを備えている構成であっても、充電手段に充電された電力を効率的に利用しることができるので、電源オフ処理を行う際の消費電力を低減することができ、充電手段の容量を低減してコストダウンを図ることができる。
【０１０５】
本発明の態様４にかかる液晶表示装置は、上記態様１から３において、上記ゲートバスライン、上記ソースバスライン、および上記各絵素が形成された液晶パネルと、上記制御部からの指示に応じて上記各ゲートバスラインに対する印加電圧を切り替えるゲートドライバとを備え、上記ゲートドライバは、１または複数のゲートバスラインに対する印加電圧の切り替えを行う処理ブロックを複数備え、上記電力供給経路は、上記処理ブロック同士を接続するブロック間配線部を含み、上記ブロック間配線部の少なくとも一部は、上記液晶パネル内に設けられたパネル内配線である構成である。
【０１０６】
パネル内配線は一般に薄くかつ細く形成されるので、通常の回路に備えられる配線よりも抵抗値が高い。したがって、ブロック間配線部にパネル内配線が含まれる場合には、電力供給経路における抵抗値が最大であるゲートバスラインと最小であるゲートバスラインとで電圧降下量が大きく異なる。このため、従来技術のように電力供給経路の抵抗値の違いを考慮せずにゲートバスラインの選択順序を設定する構成では、電源オフ動作時に全ての画素に固定パターンの描画処理を行うために必要な充電容量が非常に大きかった。
【０１０７】
これに対して、上記の構成によれば、電源オフ処理時に充電手段に充電された電力を効率的に利用することができるので、電源オフ処理を行う際の消費電力を低減することができ、充電手段の容量を従来技術に比べて大幅に低減することができる。
【０１０８】
本発明の態様５にかかる液晶表示装置は、上記態様１から４において、上記各絵素は、絵素電極と、対向電極と、絵素電極と対向電極との間に配置された液晶層と、ゲート端子がゲートバスラインに接続され、ソース端子がソースバスラインに接続され、ドレイン端子が上記絵素電極に接続されたスイッチング素子とを備え、上記スイッチング素子は、酸化物半導体からなるチャネル層を備えた薄膜トランジスタである構成である。
【０１０９】
酸化物半導体からなるチャネル層を備えた薄膜トランジスタは、オフリーク電流が非常に少ないという特性を有しており、液晶表示装置の電源をオフしたときに絵素電極と対向電極との間に電位差が残っていると、電源がオフされている期間中にその電位差が印加され続けることにより焼き付き等の不具合が生じやすい。これに対して、上記の構成によれば、電源オフ処理により絵素電極と対向電極との間に電位差を低減できるので、酸化物半導体からなるチャネル層を備えた薄膜トランジスタを用いている場合であっても絵素電極と対向電極との間に電位差によって焼き付き等の不具合が生じることを防止できる。
【０１１０】
本発明の一態様にかかる液晶表示装置の制御方法は、書込対象のゲートバスラインを周期的に切り替えるとともに、書込対象として選択されているゲートバスラインに接続された各絵素に接続されているソースバスラインに対する印加電圧を画像データに応じて制御することで上記各絵素に画像データに応じた電圧を印加する書込処理を行う液晶表示装置の制御方法であって、当該液晶表示装置の電源をオフする際、書込対象のゲートバスラインの選択順序を、画像データに応じた画像の表示時とは異なる順序になり、かつ電力供給源からの電力供給経路の抵抗値が大きいゲートバスラインから順に選択される順序になるように設定し、各ソースバスラインに対して電源オフ処理用の所定の電圧を印加する電源オフ処理を行うことを特徴としている。
【０１１１】
上記の方法によれば、電源オフ動作時に各絵素に電源オフ処理用の所定の電圧を印加する処理を行う際のゲートバスラインの選択順序を、電源供給源からの電力供給経路の抵抗値が大きいゲートバスラインから順に選択させるように設定する。これにより、電源オフ動作開始時の充電手段の充電電圧が比較的高いときには電力供給経路の抵抗値が大きいゲートバスライン（電圧降下量が多いゲートバスライン）に対する書き込みを行い、電源オフ動作開始から時間が経過して充電手段の充電電圧が比較的低下してきたときに電力供給経路の抵抗値が小さいゲートバスライン（電圧降下量が比較的少ないゲートバスライン）に対する書き込みを行うことができる。これにより、充電手段に充電された電力を効率的に利用することができるので、電源オフ処理を行う際の消費電力を低減することができ、充電手段の容量を低減してコストダウンを図ることができる。
【０１１２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１３】
本発明は、液晶表示装置に適用できる。また、スイッチング素子としてオフリーク電流が少ない酸化物半導体等からなる薄膜トランジスタを用いた液晶表示装置に特に好適に適用できる。
【符号の説明】
【０１１４】
１，１ｃ  電源回路
２  制御回路（制御部）
３  ゲートドライバ（第１ゲートドライバ）
３ｂ  ゲートドライバ（第２ゲートドライバ）
４  ソースドライバ
５  液晶パネル
１１  電圧降下検知回路（電圧降下検知部）
１１ａ  検知用ＩＣ
１２  主電源回路
１３  補助電源回路
２１  画像データ入力部
２２  画像処理部
２３  同期処理部
２４  ゲート制御信号生成部
２５  ソース制御信号生成部
３１  ゲートバスライン
３５ａ〜３５ｈ  処理ブロック
３６  配線
３７ａ〜３７ｇ  パネル内配線（ブロック間配線部）
４１  ソースバスライン
５０  絵素
１００，１００ｂ，１００ｃ  液晶表示装置
【図１】
2015075609.tif 000003
【図２】
2015075609.tif 000004
【図３】
2015075609.tif 000005
【図４】
2015075609.tif 000006
【図５】
2015075609.tif 000007
【図６】
2015075609.tif 000008
【図７】
2015075609.tif 000009
【図８】
2015075609.tif 000010
【図９】
2015075609.tif 000011
【図１０】
2015075609.tif 000012
【図１１】
2015075609.tif 000013
【図１２】
2015075609.tif 000014
【図１３】
2015075609.tif 000015
【図１４】
2015075609.tif 000016